(57)【要約】【課題】  衛生的であって、かつ長期の使用に耐える取手を提供する。【解決手段】  棒状の把持部を備え、把持部が、棒状の基材と、基材の側面の全周を覆う被覆材を有しており、被覆材が、純度９７ｗｔ％以上の錫からなるものである。【選択図】      図１
2017166165.tif 000002
【特許請求の範囲】
【請求項１】
棒状の把持部を備え、
把持部が、棒状の基材と、基材の側面の全周を覆う被覆材を有しており、
被覆材が、純度９７ｗｔ％以上の錫からなるものであることを特徴とする取手。
【請求項２】
基材が、長手方向と交差する方向に貫通する貫通孔を有しており、
被覆材が、筒状のものであって、貫通孔を通って対向する内周面間に横架する架橋部を有しており、
架橋部を含めた被覆材が一体成形品であることを特徴とする請求項１記載の取手。
【発明の詳細な説明】
【技術分野】
【０００１】
本発明は、扉などに設けられる取手に関する。
【背景技術】
【０００２】
従来、不特定多数の人が触れる扉の取手を介して、細菌感染が広がる場合があり、特に、抵抗力の弱い人が多い病院や介護施設などにおいては、大きな問題であった。そこで、特許文献１において、表面を殺菌性物質を含有する樹脂層で被覆した取手が提案されている。
【先行技術文献】
【特許文献】
【０００３】
【特許文献１】特開平７−２９２９１９号公報
【発明の概要】
【発明が解決しようとする課題】
【０００４】
しかしながら、特許文献１の発明における樹脂層は、長期の使用に耐えるものではなく、樹脂層が破損してしまうと、衛生的な状態が保たれないという問題があった。
【０００５】
本発明は、上記事情を鑑みたものであり、衛生的であって、かつ長期の使用に耐える取手を提供することを目的とする。
【課題を解決するための手段】
【０００６】
本発明のうち請求項１の発明は、棒状の把持部を備え、把持部が、棒状の基材と、基材の側面の全周を覆う被覆材を有しており、被覆材が、純度９７ｗｔ％以上の錫からなるものであることを特徴とする。
【０００７】
本発明のうち請求項２の発明は、基材が、長手方向と交差する方向に貫通する貫通孔を有しており、被覆材が、筒状のものであって、貫通孔を通って対向する内周面間に横架する架橋部を有しており、架橋部を含めた被覆材が一体成形品であることを特徴とする。
【発明の効果】
【０００８】
本発明のうち請求項１の発明によれば、純度９７ｗｔ％以上の高純度の錫は、大腸菌や黄色ブドウ球菌などの種々の細菌に対して抗菌性を有するものであって、錫からなる被覆材によって把持部を覆うことで、細菌の増殖を抑え、感染を防ぐ。そして、金属である錫からなる被覆材は、破損・摩耗することがなく、長期の使用に耐えるものである。
【０００９】
本発明のうち請求項２の発明によれば、被覆材の架橋部が基材の貫通孔を貫通していて、被覆材と基材が一体になっているので、基材から被覆材が外れたり、基材に対して被覆材が空回りしたりすることがない。また、被覆材が一体成形品であるから、外周面に継目がなく、高強度であり、意匠性も良好である。
【図面の簡単な説明】
【００１０】
【図１】本発明の取手の第一実施形態を示し、（ａ）は正面図、（ｂ）はＡ−Ａ線断面図、（ｃ）はＢ−Ｂ線断面図、（ｄ）はＣ−Ｃ線断面図である。
【図２】取手の第一実施形態の斜視図である。
【図３】（ａ）、（ｂ）は、取手の製造方法の説明図である。
【図４】本発明の取手の第二実施形態の斜視図である。
【発明を実施するための形態】
【００１１】
本発明の取手の具体的な構成について、各図面に基づいて説明する。図１および図２に示すように、この取手の第一実施形態は、建物の扉１００に設けられる固定式のものであって、上下に延びる丸棒形状であり、上部と下部に、それぞれ水平向きに延びる支持部６を設けてある。そして上下の支持部６が、扉１００の表面に取り付けられた円柱形状の固定部７に接続されている。
【００１２】
より詳しくは、上下の支持部６の間部分が、把持部１となっており、その上下に、端部材８を取り付けてある。把持部１は、図１に示すように、軸となる基材２と、基材２の側面の全周を覆う被覆材３からなる。基材２は、丸棒形状であって、鉄やアルミニウムなど、錫よりも融点の高い金属からなる。また、基材２の上下三箇所には、長手方向と交差して、水平方向に貫通する貫通孔４を形成してある。一方、被覆材３は、円筒形状であって、純度９７ｗｔ％以上の錫からなる。そして、基材２の貫通孔４を通って対向する内周面間に横架する架橋部５を有している。この架橋部５を含めた被覆材３は、後述のとおり、鋳造された一体成形品であって、基材２の外周面と被覆材３の内周面および貫通孔４の内周面と架橋部５の外周面は隙間なく密接しており、基材２と被覆材３とが一体となっている。
【００１３】
また、把持部１の上下には、端部材８を取り付けてある。端部材８は、把持部１と同径の円柱形状であって、把持部１側の端面に、雄ネジ部９を形成してある。一方、基材２の上下端面には、ネジ穴１０を形成してあって、このネジ穴１０に雄ネジ部９を螺合して固定してある。また、端部材８の把持部１側の端部は、他部より径が小さい小径部１１となっている。そして、支持部６の先端がリング形状のリング部１２となっており、リング部１２を小径部１１に外挿してある。リング部１２の内径は小径部１１の外径と同じであって、これにより支持部６が把持部１および端部材８に対して固定される。また、リング部１２の外径は把持部１および端部材８の外径と同じであって、把持部１とリング部１２と端部材８で、上下に延びる円柱を形成している。
【００１４】
次に、この取手の製造方法について説明する。この取手の把持部１は、上述のとおり、鋳造により製造されるものである。図３（ａ）に示すように、鋳型２００には、把持部１の外径に等しい円柱形の空洞部２０１を形成してあり、この空洞部２０１に、中子３００を挿入する。中子３００は、基材２の両端に把持部１の外径と同径のキャップ３０１を取り付けたものであり（キャップ３０１が雄ネジ部を有していて、ネジ穴１０に螺合している）、基材２とキャップ３０１を合わせて、空洞部２０１に丁度嵌まる長さとなっている。続いて、図３（ｂ）に示すように、鋳型２００の湯道２０２から溶けた錫Ｓを流し込むと、錫Ｓは基材２の貫通孔４に浸入しつつ、基材２を覆った状態で空洞部２０１を満たす。そして、そのまま錫Ｓが冷え固まると、円筒形状で、基材２の貫通孔４を通る架橋部５が一体成形された被覆材３となる。その後、湯道部分を除去し、キャップ３０１を外し、端部材８や支持部６を取り付けることで、取手が完成する。なお、このような鋳造によれば、把持部１の表面に模様を付けることも容易である。また、基材２は溶けた錫Ｓと接するので、錫Ｓよりも融点が高いものでなければならないが、端部材８は錫Ｓが冷え固まった後に取り付けるものであるから、どのような素材からなるものであってもよい。
【００１５】
このように構成した本発明の取手の第一実施形態は、抗菌性を有する高純度の錫からなる被覆材３によって把持部１を覆うことで、大腸菌や黄色ブドウ球菌などの種々の細菌の増殖を抑え、感染を防ぐものであり、特に、抵抗力の弱い人が多い病院や介護施設などにおいて、非常に有効である。そして、金属である錫からなる被覆材３は、破損・摩耗することがなく、長期の使用に耐えるものである。また、被覆材３の架橋部５が基材２の貫通孔４を貫通していて、被覆材３と基材２が一体になっているので、基材２から被覆材３が外れたり、基材２に対して被覆材３が空回りしたりすることがない。また、被覆材３が鋳造による一体成形品であるから、外周面に継目がなく、高強度であり、意匠性も良好である。
【００１６】
また、図４に示す第二実施形態は、本発明を、扉１００に設けられる略Ｌ字形のレバーハンドルに適用したものである。第二実施形態も、棒状の把持部１が、棒状の基材２と、基材２の側面の全周を覆う被覆材３からなり、被覆材３が、純度９７ｗｔ％以上の錫からなるものである。そして、基材２が貫通孔を有し、被覆材３が貫通孔を通って対向する内周面間に横架する架橋部を有するものであることが望ましい。この第二実施形態は、取手自体の形状が異なるものであるが、第一実施形態と同様の作用効果を奏するものである。
【００１７】
本発明は、上記の実施形態に限定されない。たとえば、取手自体の形状は、棒状の把持部を有するものであれば、どのようなものであってもよく、把持部は円柱形状のほか、角柱形状であってもよいし、湾曲・屈曲していてもよい。また、把持部の被覆材は、平板状のものを棒状の基材に巻き付けたものであってもよいし、棒状の基材の表面にメッキしたものであってもよい。さらに、この取手は、建物の扉以外に、収納箱の蓋など、どのような場所に設けられるものであってもよいし、壁面などに設けて手すりとして使用してもよい。
【符号の説明】
【００１８】
１  把持部
２  基材
３  被覆材
４  貫通孔
５  架橋部
【図１】
2017166165.tif 000003
【図２】
2017166165.tif 000004
【図３】
2017166165.tif 000005
【図４】
2017166165.tif 000006